(57)【要約】【課題】断熱性能を損なうことのないコンパクトな貯湯タンクを有するヒートポンプ式給湯機を提供すること。【解決手段】湯水を貯える貯湯タンクを備え、貯湯タンクの天部１と底部２を発泡成形断熱材４（５）で被い、貯湯タンクの胴部３の一部に天部１から底部２に渡って発泡成形断熱材８を配設し、貯湯タンクの発泡成形断熱材３（４，８）で被われている箇所以外に真空断熱材６を捲回するとともに、胴部３の一部に配設した発泡成形断熱材８の複数個所に貯湯タンクの温度を検出する温度検出手段７を備えたことにより、断熱性能を損なうことないコンパクトな貯湯タンクを構成することができる。【選択図】図２
2008180407.tif 000002
【特許請求の範囲】
【請求項１】
湯水を貯える貯湯タンクを備え、前記貯湯タンクの天部と底部を発泡成形断熱材で被い、前記貯湯タンクの胴部の一部に前記天部から前記底部に渡って発泡成形断熱材を配設し、前記貯湯タンクの発泡成形断熱材で被われている箇所以外に真空断熱材を捲回するとともに、前記胴部の一部に配設した発泡成形断熱材の複数個所に前記貯湯タンクの温度を検出する温度検出手段を備えたことを特徴とするヒートポンプ式給湯機。
【発明の詳細な説明】
【技術分野】
【０００１】
本発明は、ヒートポンプ式給湯機に係り、特に貯湯タンクの断熱構造に関するものである。
【背景技術】
【０００２】
従来からヒートポンプ式給湯機は、貯湯タンク（もしくは補助タンク）に高温の湯を貯えるとともに、その貯えた湯を給湯端末に供給することで給湯機能を実現している。しかしながら貯湯タンクに高温の湯を貯えると同時に、貯湯タンク内の高温の湯からは外部に対して放熱するため、湯切れ防止や機器としての運転効率を向上するために貯湯タンクに発泡成形断熱材や真空断熱材、シート状断熱材を捲回し、貯湯タンクからの放熱を防止し、貯湯タンク内の湯の温度の低下を防止していた（例えば、特許文献１参照）。
【特許文献１】特開２００５−２２６９６５号公報
【発明の開示】
【発明が解決しようとする課題】
【０００３】
しかしながら、貯湯タンクの全面に亘って真空断熱材やシート状断熱材を採用した場合、貯湯タンクの天部や底部を形成する箇所は一般的には三次元的曲面を形成しているため、装着が困難であった。さらに、貯湯タンクの温度を検出するための温度検出手段のシート状断熱材への装着は困難であった。
【０００４】
また、貯湯タンクの全面に亘って発泡成形断熱材を採用した場合には、断熱性能を確保するためには厚みが、シート状断熱材や真空断熱材に比較して厚くなってしまい、ひいてはヒートポンプ式給湯機の大型化を招いてしまうという課題を有していた。
【０００５】
本発明は、従来の課題を解決するもので、断熱性能を損なうことのないコンパクトな貯湯タンクを有するヒートポンプ式給湯機を提供することを目的とする。
【課題を解決するための手段】
【０００６】
前記従来の課題を解決するために、本発明のヒートポンプ式給湯機は、湯水を貯える貯湯タンクを備え、前記貯湯タンクの天部と底部を発泡成形断熱材で被い、前記貯湯タンクの胴部の一部に前記天部から前記底部に渡って発泡成形断熱材を配設し、前記貯湯タンクの発泡成形断熱材で被われている箇所以外に真空断熱材を捲回するとともに、前記胴部の一部に配設した発泡成形断熱材の複数個所に前記貯湯タンクの温度を検出する温度検出手段を備えたことを特徴とするものである。
【０００７】
これによって、断熱性能を損なうことないコンパクトな貯湯タンクを構成することができるとともに、貯湯タンクの温度検出手段を発泡成形断熱材に配設するので、温度検出手段を固定しやすくなり、組み立て性能を向上することができる。
【発明の効果】
【０００８】
本発明は、断熱性能を損なうことのないコンパクトな貯湯タンクを有するヒートポンプ式給湯機を提供することができる。
【発明を実施するための最良の形態】
【０００９】
第１の発明のヒートポンプ式給湯機は、湯水を貯える貯湯タンクを備え、前記貯湯タンクの天部と底部を発泡成形断熱材で被い、前記貯湯タンクの胴部の一部に前記天部から前記底部に渡って発泡成形断熱材を配設し、前記貯湯タンクの発泡成形断熱材で被われてい
る箇所以外に真空断熱材を捲回するとともに、前記胴部の一部に配設した発泡成形断熱材の複数個所に前記貯湯タンクの温度を検出する温度検出手段を備えたことにより、断熱性能を損なうことないコンパクトな貯湯タンクを構成することができるとともに、貯湯タンクの温度検出手段を発泡成形断熱材に配設するので、温度検出手段を固定しやすくなり、組み立て性能を向上することができる。
【００１０】
以下、本発明の実施の形態について、図面を参照しながら説明する。なお、この実施の形態によって本発明が限定されるものではない。
【００１１】
（実施の形態１）
図１は、本実施の形態における貯湯タンクの構成図、図２、図３は、本実施の形態における貯湯タンクの断熱材の構成図である。図１に示すように、本実施の形態における貯湯タンクは、天部１、底部２、胴部３で構成され、図２、図３に示すように天部１、底部２は発泡成形断熱材４、５で被われており、天部１と底部２とを上下につなぐように胴部３の一部に発泡成形断熱材８が配設されている。なお、本実施の形態においては、発泡成形断熱材４、５、８は発泡スチロールの成形品であり、天部１と底部２の形状に沿って成形されている。また、貯湯タンクを収納する略箱型形状の筐体に沿って、平面形状４ａ、５ａを有する。
【００１２】
また、胴部３の周囲で、かつ、発泡成形断熱材８が配設されていない箇所には、真空断熱材６が捲回されている。なお本実施の形態における真空断熱材は、芯材にグラスウール、吸着剤に酸化カルシウム、外袋にアルミ・プラスチックラミネートフィルムを用い、既に公知の方法で製作される（例えば、特許文献１参照）。
【００１３】
次に、発泡成形断熱材８の構成について説明する。図４ａ、図４ｂは発泡成形断熱材８の水平面図および正面図であり、図５は図４ａのＡ部の拡大図である。
【００１４】
図４ａ、図４ｂにおいて、発泡成形断熱材８には、センサーの線などを引き回すための溝８ａと、貯湯タンクの温度を検出する温度検出手段であるサーミスタ７を固定設置するための開口部８ｂを複数箇所に有している。なお開口部８ｂには開口蓋９が着脱可能となっており、発泡成形断熱材８と同様に発泡スチロールの成形品である。
【００１５】
開口部８ｂへのサーミスタ７の固定は、開口蓋９にサーミスタ７を保持させ、開口蓋９を開口部８ｂに装着して行う。本実施の形態においては、図５に示すように、サーミスタ７の一部７ｂを、開口蓋９の一部に切り欠き部９ａを形成し、サーミスタ７の一部である７ｂを切り欠き部９ａで保持する構成となっているが、サーミスタ７を保持する構成は本実施の形態の方法に限定されることなく、どのような方法を用いてもよい。また、サーミスタ７を固定する際には、サーミスタ７の感熱部を構成する７ａが貯湯タンクの胴部３に接触するように固定する。
【００１６】
以上のように、貯湯タンクの温度を検出する温度検出手段を、発泡成形断熱材に保持させることで、確実に固定することができるとともに、断熱構成を発泡成形断熱材と、真空断熱材とで構成することで、貯湯タンクをコンパクトに形成することができ、ひいてはコンパクトなヒートポンプ式給湯機を提供することができる。
【産業上の利用可能性】
【００１７】
本発明は、ヒートポンプユニットとタンクユニットを分離したヒートポンプ式給湯機、ヒートポンプユニットとタンクユニットを一体的に形成したヒートポンプ式給湯機など、あらゆるヒートポンプ式給湯機に適用できるだけでなく、ヒートポンプ式給湯機のほかに、貯湯タンクを有する給湯機であれば適用することができる。
【図面の簡単な説明】
【００１８】
【図１】本発明の第１の実施の形態における貯湯タンクの構成図
【図２】同実施の形態における断熱材の構成図
【図３】同実施の形態における断熱材の構成図
【図４】（ａ）同実施の形態における発泡成形断熱材の構成水平断面図、（ｂ）同正面図
【図５】Ａ部拡大図
【符号の説明】
【００１９】
１  天部
２  底部
３  胴部
４  発泡成形断熱材
５  発泡成形断熱材
６  真空断熱材
７  サーミスタ
８  発泡成形断熱材
【図１】
2008180407.tif 000003
【図２】
2008180407.tif 000004
【図３】
2008180407.tif 000005
【図４】
2008180407.tif 000006
【図５】
2008180407.tif 000007